(57)【要約】【課題】  インク流路に混入した気泡を確実に除去して、気泡混入による吐出不良を回復するためのインク吐出不良回復方法、及び、このインク吐出不良回復方法を実施するインクジェット記録装置、を得る。【解決手段】  一旦インク流路からインクを排出させた後にインクを再充填させた後、キャップ７０をインクジェット記録ヘッド１１２から取り外す際には、まず、第１密閉状態から第２密閉状態になるようにキャップ７０の押しつけ状態を緩める。これにより、内側密閉空間２０２が外側密閉空間２０３に開放されて、図９に示すように、両者の気圧はほぼ大気圧となる。そして、ステップＳ３２で、キャップ７０をインクジェット記録ヘッド１１２から取り外す。【選択図】  図５
2006088469.tif 000002
【特許請求の範囲】
【請求項１】
インクジェット記録ヘッド内に構成されたインク吐出ノズルを含むインク流路へのインクの供給を停止し、
前記インクジェット記録ヘッドとの間に密閉空間を構成する吸引手段をインクジェット記録ヘッドに装着し、
前記インク流路に充填されたインクを前記吸引手段で吸引して排出させ、
前記インク流路に前記インクへの溶解度の大きい溶解性気体を供給し、
前記インク流路への溶解性気体の供給を停止し、
前記溶解性気体の充填されたインク流路へ再度インクを供給し、
前記密閉空間の気圧を、前記溶解性気体が充填された状態で前記吸引手段を前記インクジェット記録ヘッドから取り外し可能とする取り外し可能気圧に変更し、
前記吸引手段を前記インクジェット記録ヘッドから取り外す、
インク吐出不良回復方法。
【請求項２】
インクジェット記録ヘッドに構成されたインク吐出ノズルを含むインク流路と、
前記インク流路へインクを供給するインク供給手段と、
前記インク供給手段から前記インク流路へのインクの供給を停止するインク供給停止手段と、
前記インクジェット記録ヘッドに装着されて前記インク吐出ノズルとの間に密閉空間を構成し、前記インク流路に充填されたインクを吸引により排出させる吸引手段と、
前記インク流路及び前記密閉空間に、前記インクへの溶解度の大きい溶解性気体を充填する気体充填手段と、
前記密閉空間の気圧を、前記溶解性気体が充填された状態で前記吸引手段を前記インク吐出ノズルから取り外し可能とする取り外し可能気圧に変更する気圧変更手段と、
を備えたインクジェット記録装置。
【請求項３】
前記吸引手段は、前記インクジェット記録ヘッドに密着されるキャップと、このキャップに接続されて前記インク流路に充填されたインクを吸引可能な吸引ポンプと、を含んで構成されていることを特徴とする請求項２に記載のインクジェット記録装置。
【請求項４】
前記気圧変更手段は、前記密閉空間へ連通可能とされ、前記取り外し可能気圧に保持され、前記溶解性気体で充填された外側密閉空間を、前記密閉空間の外側に構成する外側密閉部材を含んで構成されていること、を特徴とする請求項２または請求項３に記載のインクジェット記録装置。
【請求項５】
前記気圧変更手段は、前記吸引キャップの前記インク吐出ノズルと対向する対向面に設けられて前記密閉空間を構成する内側Ｏリングと、前記対向面の前記内側Ｏリングよりも外側に設けられ外側密閉空間を構成する外側Ｏリングと、を含んで構成されていること、を特徴とする請求項４に記載のインクジェット記録装置。
【発明の詳細な説明】
【技術分野】
【０００１】
本発明は、インク吐出不良を回復するためのインク吐出不良回復方法、及び、このインク吐出不良回復方法を実施するインクジェット記録装置に関する。
【背景技術】
【０００２】
インクジェット記録装置においては、インク吐出のためのノズルの詰まりやノズル周囲へのゴミの付着などにより吐出不良が生じる。この吐出不良を回復させるために、様々な回復方法が提案されている。例えば、特許文献１では、インクジェットヘッドに吸引キャップを取り付けて吸引することによりノズルの回復を図っている。
【０００３】
ところで、インクジェットヘッド内のインク流路へは、インクカートリッジの脱着、用紙ジャム、などの、様々な要因により気泡が混入してしまうことがある。インク流路への気泡の混入は、吐出不良の原因になるため気泡を取り除く必要がある。しかしながら、特許文献１に記載の技術では、単に吸引するだけなので、インクの粘度やインク流路構造によっては、気泡が排出されない場合がある。
【０００４】
また、この吸引動作では、吸引終了後に吸引キャップをインクジェットヘッドから取り外す際に、特に気泡が入り込みやすいという問題がある。特許文献２、及び特許文献３には、インクジェットヘッドにインクを初期充填する際にＣＯ2をあらかじめ充填しておく技術が開示されているが、吐出不良を回復させるための構成は示されていない。
【特許文献１】特開平１０−２９６９８７号公報
【特許文献２】特開２０００−２１１１６０号公報
【特許文献３】特開２００３−１２７４２５号公報
【発明の開示】
【発明が解決しようとする課題】
【０００５】
本発明は、上記事実を考慮し、インク流路に混入した気泡を確実に除去して、気泡混入による吐出不良を回復するためのインク吐出不良回復方法、及び、このインク吐出不良回復方法を実施するインクジェット記録装置、を得ることを課題とする。
【課題を解決するための手段】
【０００６】
上記課題を解決するため、請求項１に記載のインク吐出不良回復方法は、インクジェット記録ヘッド内に構成されたインク吐出ノズルを含むインク流路へのインクの供給を停止し、前記インクジェット記録ヘッドとの間に密閉空間を構成する吸引手段をインクジェット記録ヘッドに装着し、前記インク流路に充填されたインクを前記吸引手段で排出させ、前記インク流路に前記インクへの溶解度の大きい溶解性気体を供給し、前記インク流路への溶解性気体の供給を停止し、前記溶解性気体の充填されたインク流路へ再度インクを供給し、前記密閉空間の気圧を、前記溶解性気体が充填された状態で前記吸引手段を前記インクジェット記録ヘッドから取り外し可能とする取り外し可能気圧に変更し、前記吸引手段を前記インクジェット記録ヘッドから取り外す、ものである。
【０００７】
上記のインク吐出不良回復方法では、まず、インク流路へのインクの供給が停止される。ここでのインク流路は、インクジェット記録ヘッド内に構成され、インク吐出ノズルを含んだものである。そして、吸引手段をインクジェット記録ヘッドに装着して、インクジェット記録ヘッドとの間に密閉空間を構成する。そして、インク流路に充填されたインクを排出させ、インク流路に溶解性気体を供給する。溶解性気体の供給は、インクの排出後でもよいし、インクを排出しながらインクを溶解性気体で置換するように供給してもよい。これにより、インク流路内のインクに混入していた気泡はインクと共に排出され、インク流路に溶解性気体が充填される。
【０００８】
ここで、溶解性気体とは、インクへの溶解度の大きい気体をいい、例えば、二酸化炭素、アンモニアガス、塩化水素ガス、亜硫酸ガス、などの、空気と比較して５倍以上の溶解度をもつ気体をいう。
【０００９】
インク流路に溶解性気体が充填された後、インク流路への溶解性気体の供給を停止する。そして、再びインク流路へインクを供給する。
【００１０】
このとき、インク流路には溶解性気体が充填されているので、再供給されたインクへ空気が入り込むことはなく、インク吐出ノズルに気泡が発生するのを防止することができる。なお、インクには溶解性気体が混入することもあるが、溶解性気体はインクへの溶解度が高いため、気泡にならずインクに溶け込む。したがって、インク流路に気泡が混入している場合のように、吐出不良を生じさせることはない。
【００１１】
ところで、このようにしてインクの供給を行なった後には、吸引手段をインクジェット記録ヘッドから取り外す必要があるが、一般的に、この取り外しの際にインク吐出ノズル側からインク流路へ空気が入り込みやすい。
【００１２】
そこで、溶解性気体が充填された状態のままで、密閉空間の気圧を、取り外し可能気圧に変更する。取り外し可能気圧とは、吸引手段をインクジェット記録ヘッドから容易に取り外すことのできる気圧をいい、インク流路内のインクと同じか、もしくはインク流路内のインクよりも少し高い気圧である。
【００１３】
この状態で、吸引手段をインクジェット記録ヘッドから取り外せば、密閉空間は溶解性気体で満たされたままなので、インク吐出ノズル側からインク流路内に空気が入り込むことはない。なお、溶解性気体がインク流路に入り込むことはあるが、入り込んでもインクへの溶解度が高いため、気泡にならずインクに溶け込む。したがって、インク流路に気泡が混入している場合のように、吐出不良を生じさせることはない。
【００１４】
このように、請求項１の発明によれば、インク流路に混入した気泡を確実に除去することができるので、気泡混入による吐出不良を回復することができる。
【００１５】
請求項２に記載のインクジェット記録装置は、インクジェット記録ヘッドに構成されたインク吐出ノズルを含むインク流路と、前記インク流路へインクを供給するインク供給手段と、前記インク供給手段から前記インク流路へのインクの供給を停止するインク供給停止手段と、前記インクジェット記録ヘッドに装着されて前記インク吐出ノズルとの間に密閉空間を構成し、前記インク流路に充填されたインクを吸引により排出させる吸引手段と、前記インク流路及び前記密閉空間に、前記インクへの溶解度の大きい溶解性気体を充填する気体充填手段と、前記密閉空間の気圧を、前記溶解性気体が充填された状態で前記吸引手段を前記インク吐出ノズルから取り外し可能とする取り外し可能気圧に変更する気圧変更手段と、を含んで構成されている。
【００１６】
上記構成のインクジェット記録装置での気泡除去動作は、まず、インク供給停止手段でインク供給手段からのインクの供給を停止する。そして、吸引手段をインクジェット記録装置に装着してインク吐出ノズルとの間に密閉空間を構成し、インク流路に充填されたインクを吸引により排出させる。また、気体充填手段で、インク流路及び密閉空間に、インクへの溶解度の大きい溶解性気体を充填する。これにより、インク流路のインクに混入していた気泡はインクと共に排出され、インク流路に溶解性気体が充填される。
【００１７】
インク流路に溶解性気体が充填された後、気体供給停止手段でインク流路への溶解性気体の供給を停止する。そして、インク供給手段で再びインク流路へインクを供給する。このとき、インク流路には溶解性気体が充填されているので、再供給されたインクへ空気が入り込むことはなく、インク流路に気泡が発生するのを防止することができる。
【００１８】
なお、インクには溶解性気体が混入することもあるが、溶解性気体はインクへの溶解度が高いため、気泡にならずインクに溶け込む。したがって、インク流路に気泡が混入している場合のように、吐出不良を生じさせることはない。
【００１９】
ところで、このようにしてインクの供給を行なった後には、吸引手段をインクジェット記録ヘッドから取り外す必要があるが、一般的に、この取り外しの際にインク吐出ノズル側からインク流路へ空気が入り込みやすい。
【００２０】
そこで、気圧変更手段で、溶解性気体が充填された状態のままで、密閉空間の気圧を、取り外し可能気圧に変更する。取り外し可能気圧とは、請求項１と同様に、吸引手段をインクジェット記録ヘッドから容易に取り外すことのできる気圧をいい、インク流路内のインクと同じか、もしくはインク流路内のインクよりも少し高い気圧である。
【００２１】
この状態で、吸引手段をインクジェット記録ヘッドから取り外せば、密閉空間は溶解性気体で満たされたままなので、インク吐出ノズル側からインク流路内に空気が入り込むことはない。なお、溶解性気体がインク流路に入り込むことはあるが、入り込んでもインクへの溶解度が高いため、気泡にならずインクに溶け込む。したがって、インク流路に気泡が混入している場合のように、吐出不良を生じさせることはない
なお、請求項２の発明の吸引手段は、請求項３に記載のように、前記インクジェット記録ヘッドに密着されるキャップと、このキャップに接続されて前記インク流路に充填されたインクを吸引可能な吸引ポンプと、を含んで構成されていることを特徴とすることができる。
【００２２】
上記構成のキャップ及び吸引ポンプとしては、通常の吸引による回復動作に用いるキャップ及び吸引ポンプを流用することができ、部品点数の増加を防止することができる。
【００２３】
また、本発明のインクジェット記録装置の気圧変更手段は、請求項４に記載のように、前記密閉空間へ開放可能とされ、前記取り外し可能気圧に保持され、前記溶解性気体で充填された外側密閉空間を、前記密閉空間の外側に構成する外側密閉部材を含んで構成されていること、を特徴とすることもできる。
【００２４】
このような外側密閉空間を密閉空間の外側に設けることにより、密閉空間をこの外側空間とを連通させて、容易に、取り外し可能気圧に変更することができる。
【００２５】
また、本発明のインクジェット記録装置の気圧変更手段は、請求項５に記載のように、前記吸引キャップの前記インク吐出ノズルと対向する対向面に設けられて前記密閉空間を構成する内側Ｏリングと、前記対向面の前記内側Ｏリングよりも外側に設けられ外側密閉空間を構成する外側Ｏリングとを含んで構成されていること、を特徴とすることもできる。
【００２６】
上記構成によれば、吸引手段の対向面に内側Ｏリング及び外側Ｏリングを設けることにより、簡易な構成で外側密閉空間を構成することができる。
【発明の効果】
【００２７】
本発明は上記構成としたので、、インク流路に混入した気泡を確実に除去して、気泡混入による吐出不良を回復することができる。
【発明を実施するための最良の形態】
【００２８】
図１に示すように、インクジェット記録装置１０２は、ヘッドケース５２を搭載するキャリッジ１０４、キャリッジ１０４を主走査方向Ｍに走査する為の主走査機構１０６、記録媒体としての記録紙Ｐを副走査方向Ｓに走査する為の副走査機構１０８、及びメンテナンスステーション１１０等を含んで構成されている。
【００２９】
尚、図２以降の図には、判りやすくする為、キャリッジ１０４は図示せず省略している。
【００３０】
ヘッドケース５２には、インク吐出ノズル１０が形成されたインクジェット記録ヘッド１１２（図２参照）が備えられている。ヘッドケース５２は、インクジェット記録ヘッド１１２のノズル面１０Ａが記録用紙Ｐと対向するようにキャリッジ１０４上に搭載されており、主走査機構１０６によって主走査方向Ｍに移動されながら記録用紙Ｐに対してインク滴を吐出することにより、一定のバンド領域ＢＥに対して画像の記録を行う。主走査方向への１回の移動が終了すると、副走査機構１０８によって記録用紙Ｐが副走査方向Ｓに搬送され、再びキャリッジ１０４を主走査方向Ｍに移動させながら次のバンド領域ＢＥを記録する。こうした動作を複数回繰り返すことにより、記録用紙Ｐの全面にわたって画像の記録を行うことができる。
【００３１】
メンテナンスステーション１１０はインクジェット記録ヘッド１１２の印字範囲外に設けられている。
【００３２】
また、メンテナンスステーション１１０には、図示しないダミージェット受け部、クリーニングブレード、後述するインク吸引装置５０のキャップ７０等を備えており、ダミージェット動作、クリニーニング動作、インクの吸引動作等のメンテナンス動作を行う。
【００３３】
尚、インクの吸引動作とは、インク吐出ノズル１０から吐出するインク滴の吐出特性が悪化したり、不吐出が発生したりした場合等に、インクジェット記録ヘッド１１２のノズル面１０Ａにキャップ７０を密着させ、インク吐出ノズル１０からインクを吸引することで吐出特性を回復する動作のことをいう。
【００３４】
図２に示すように、インク吸引装置５０は、浅底の箱形状をしたキャップ７０、底面にインク吸収体１５２が備えられた廃インクタンク１５０、バルブ９０、ポンプ９２を有している。図３に示すように、キャップ７０は図示しない昇降機構によってインクジェット記録ヘッド１１２に密着し、ノズル面１０Ａとキャップ７０との間に密閉されたキャップ空間２００を構成する。
【００３５】
キャップ７０には、図４に示すように、インク吐出ノズル１０と対向する面に凹部７０Ａが形成され、凹部７０Ａの底面中央部にはインク吸引口７４が開けられている。インク吸引口７４にはインク吸引チューブ７６Ａが接続されている。
【００３６】
キャップ７０のインク吐出ノズル１０と対向する面の凹部７０Ａが形成されていない外周面７１には、内側Ｏリング７２Ａ、及び、外側Ｏリング７２Ｂが設けられている。内側Ｏリング７２Ａは凹部７０Ａ側に配置されており、外側Ｏリング７２Ｂは内側Ｏリング７２Ａの外側に配置されている。図３（Ｂ）に示すように、外側Ｏリング７２Ｂは内側Ｏリング７２Ａよりも、外周面７１から突出されている。
【００３７】
キャップ７０は、２段階でインクジェット記録ヘッド１１２に密着可能とされている。第１段階としての第１密閉では、図５（Ａ）に示すように、外側Ｏリング７２Ｂ、及び、内側Ｏリング７２Ａの両方がノズル面１０Ａと密着され、内側Ｏリング７２Ａの内側に内側密閉空間２０２が、内側Ｏリング７２Ａと外側Ｏリング７２Ｂとの間には外側密閉空間２０３が構成される。すなわち、キャップ７０の内側に構成されるキャップ空間２００は、内側密閉空間２０２と外側密閉空間２０３に区切られる。キャップ７０には外側密閉空間２０３と連通したＣＯ2供給孔７５が構成されており、ＣＯ2供給孔７５へはチューブ７７を介して、後述するＣＯ2タンク６６からＣＯ2が供給される。
【００３８】
第２段階としての第２密閉では、図５（Ｂ）に示すように、外側Ｏリング７２Ｂのみがノズル面１０Ａと密着される。これにより、内側密閉空間２０２は外側密閉空間２０３に開放され、内側密閉空間２０２と外側密閉空間２０３とが一体となったキャップ空間２００が構成される。
【００３９】
インク吸引チューブ７６Ａは、廃インクタンク１５０の上壁に接続され密閉された中空部１５６と連通し、この中空部１５６を介して吸引チューブ７６Ｂと連通している。さらに、インク吸引チューブ７６Ｂは、分岐点Ｙでインク吸引チューブ８０Ａ、８０Ｂに分岐し、バルブ９０とポンプ９２とに繋がっている。そして、このバルブ９０とポンプ９２とで後述するキャップ空間２０２を減圧することができる。
【００４０】
図３に示すように、インクジェット記録ヘッド１１２にはインク供給口５８が形成され、インク供給口５８には、インクチューブ６０が接続されている。インクジェット記録ヘッド１１２へは、インク供給口５８からインクの供給が行なわれる。
【００４１】
インクチューブ６０は、三方バルブ６１を介して、インクを貯留するインクタンク６４、及び圧縮ＣＯ2の入ったＣＯ2タンク６６に接続されている。ＣＯ2タンク６６と三方バルブ６１との間には圧力調整器６８が設けられている。圧力調整器６８は、ＣＯ2の圧力が大気とほぼ同じ圧力になるように調整して三方バルブ６１側へＣＯ2を供給する。三方バルブ６１は、通常の画像記録時には、インクタンク６４側が開放され、ＣＯ2タンク６６側が閉鎖されている。
【００４２】
また、ＣＯ2タンク６６は、バルブ７３を介してＣＯ2供給孔７５と接続されている。ＣＯ2タンク６６とＣＯ2供給孔７５との間にも圧力調整器６８が設けられている。圧力調整器６８は、ＣＯ2の圧力が大気よりやや高い圧力になるように調整してＣＯ2供給孔７５側へＣＯ2を供給する。通常の画像記録時には、バルブ７３は閉鎖されている。
【００４３】
図６に示すように、インクジェット記録ヘッド１１２には、インク滴を吐出するインク吐出ノズル１０、インクに加圧してインク吐出ノズル１０からインク滴を吐出させる圧力室１２、インク吐出ノズル１０と圧力室１２とを連通するノズル連通室１６、共通インク流路１４、共通インク流路１４と圧力室１２とを連通するインク供給路１８が構成されている。共通インク流路１４は、インクチューブ６０に繋がっている。圧力室１２の上面には振動板３４が接着され、振動板３４の上面には、圧電素子３６が接着されている。
【００４４】
次に、上記のように構成されたインクジェット記録ヘッド１１２の回復動作について説明する。図７には、インクジェット記録ヘッド１１２内のインク流路における気泡の排出について説明するための模式図が示されている。
【００４５】
図７（Ａ）に示すように、インクチューブ６０から供給されるインクは、共通インク流路１４、インク供給路１８、圧力室１２、ノズル連通室１６、を経てインク吐出ノズル１０から吐出される（インク供給路１８、圧力室１２、ノズル連通室１６、インク吐出ノズル１０をまとめて「個別インク流路１５」という）。共通インク流路１４、個別インク流路１５内のインクの圧力はほぼ大気圧と同じであり、圧電素子３６の駆動によりインクの吐出が制御されている。しかしながら、共通インク流路１４内及び個別インク流路１５内で一旦気泡Ｂが発生すると、インクの吐出は気泡Ｂの発生していないインク流路を構成するインク吐出ノズル１０でのみ行なわれ、気泡Ｂの発生しているインク流路ではインクの吐出が行なわれなくなる。また、一旦気泡Ｂが発生すると、通常のインク吸引動作を行なっても、毛細管現象（インクの表面張力＞キャップ空間２０２の負圧でインクを排出させる力）により、気泡を排出させるのが難しい。
【００４６】
そこで、本実施形態では、図８及び図９に示す手順でインク排出回復動作を行なう。
【００４７】
まず、ステップＳ１０で、第２密閉状態となるように、すなわち、外側Ｏリング７２Ｂのみがノズル面１０Ａと密着するようにキャップ７０をインクジェット記録ヘッド１１２に取り付ける。次に、ステップＳ１２で、三方バルブ６１を、インクタンク６４側が閉鎖され、ＣＯ2タンク６６側が開放されるように切換える。ステップＳ１４で、吸引ポンプ９０の運転を開始する。このときの吸引ポンプ９２の運転は低圧でおこなう。これにより、図９に示すように、キャップ空間２００（内側密閉空間２０２、外側密閉空間２０３）は徐々に減圧され、図５（Ｂ）に示すように、インクジェット記録ヘッド１１２内の共通インク流路１４及び個別インク流路１５内に充填されていたインクは、キャップ空間２０２側へ排出される。一方、インクチューブ６０からはＣＯ2が流入される。このとき、キャップ空間２００内の気体部分には、インクの流出により並列に負圧がかかり、個別インク流路１５内のインクの表面張力よりも大きくなる。これにより、個別インク流路１５のインクと共にインクに混入していた気泡もインク吐出ノズル１０から排出される。キャップ空間２００側へ排出されたインクは、廃インクタンク１５０へと運ばれて、インク吸収体１５２に吸収される。
【００４８】
ステップＳ１６で、所定時間経過するまで待機する。ここでの所定時間は、インクが個別インク流路１５からすべて流出するまでに要する時間である。ここでは、所定時間の経過によりインクが個別インク流路１５からすべて流出したと判断しているが、センサを用いてインクがすべて流出したことを確認してもよい。
【００４９】
所定時間経過したら、ステップＳ１７で、キャップ７０が第１密閉状態になるように、すなわち、外側Ｏリング７２Ｂと内側Ｏリング７２Ａの両方がノズル面１０Ａと密着するようにキャップ７０を強くノズル面１０Ａに押しつける。これにより、キャップ空間２００が、内側密閉空間２０２と外側密閉空間２０３とに区切られる。そして、ステップＳ１８で、吸引ポンプ９２を高圧運転に切換える。これにより、図９に示すように、内側密閉空間２０２内の気圧がさらに減圧される。このように、減圧を行なうのは、インクの流出後に個別インク流路１５に残留している泡沫を取り除くためである。一方、外側密閉空間２０３内の気圧はそのまま維持される。
【００５０】
ステップＳ２０で、さらに所定時間経過するまで待機する。ここでの所定時間は、インクの泡沫が個別インク流路１５からすべて流出するまでに要する時間である。ここでも、センサを用いてインクの泡沫がすべて流出したことを確認してもよい。インクの泡沫がすべて流出されることにより、共通インク流路１４及び個別インク流路１５内のインクのＣＯ2への置換が完了する。
【００５１】
所定時間経過したら、ステップＳ２２で、吸引ポンプ９２を低圧運転に切換える。これにより、図９に示すように、内側密閉空間２０２内の気圧は、徐々に上昇する。
【００５２】
そして、ステップＳ２４で、三方バルブ６１を、ＣＯ2タンク６６側が閉鎖され、インクタンク６４側が開放されるように切換える。これにより、インクが再びインクジェット記録ヘッド１１２へ供給され、共通インク流路１４及び個別インク流路１５にインクが充填される。
【００５３】
ステップＳ２６で、さらに所定時間経過するまで待機する。ここでの所定時間は、インクが共通インク流路１４及び個別インク流路１５に充填されるまでに要する時間である。ここでも、センサを用いてインクが充填されたことを確認してもよい。
【００５４】
所定時間経過したら、ステップＳ２８で吸引ポンプ９２を停止する。そして、ステップＳ２９で、バルブ７３を開放して、外側密閉空間２０３にＣＯ2を供給する。これにより、外側密閉空間２０３は、大気圧よりもやや高い気圧となる。ステップＳ３０で、第１密閉状態から第２密閉状態になるようにキャップ７０の押しつけ状態を緩める。これにより、内側密閉空間２０２が外側密閉空間２０３に開放されて、図９に示すように、両者の気圧はほぼ大気圧となる。そして、ステップＳ３２で、キャップ７０をインクジェット記録ヘッド１１２から取り外す。
【００５５】
上記インク排出回復動作によれば、共通インク流路１４及び個別インク流路１５から一旦すべてのインクを排出させるので、共通インク流路１４及び個別インク流路１５内のインクに混入していた気泡も排出させることができる。また、インクを再び充填する際には、共通インク流路１４及び個別インク流路１５内にはインクへの溶解度の大きいＣＯ2が充填されているので、インク中にＣＯ2は溶け、気泡が発生するのを防止することができる。
【００５６】
また、キャップ７０をインクジェット記録ヘッド１１２から取り外す時には、キャップ空間２００にはＣＯ2が充填されているので、大気に開放している場合のように、インク吐出ノズル１０から空気が入り込んでインクに気泡が混入することを防止することができる。なお、ＣＯ2がインク吐出ノズル１０から入り込むことはあるが、ＣＯ2のインクへの溶解度は空気の約２０倍であるため、インクに溶解して気泡となることはなく、インクの吐出不良を引き起こすこともない。
【００５７】
なお、本実施形態では、キャップ７０に二重のＯリングを設けて、外側密閉空間２０３を構成する例について説明したが、図１０に示すように、密閉用容器２０５内にインクジェット記録ヘッド１１２とキャップ７０を封入してもよい。
【図面の簡単な説明】
【００５８】
【図１】本発明の実施形態に係るインクジェット記録装置を示す図である。
【図２】本発明の実施形態に係るインクジェット記録ヘッドとインク吸引装置を模式的に示す図である。
【図３】本発明の実施形態に係るインクジェット記録ヘッドにインク吸引装置が取り付けられている状態を示す図である。
【図４】本発明の実施形態に係るインクジェット記録ヘッドの要部を示す断面図である。
【図５】本発明の実施形態に係るインクジェット記録ヘッドの（Ａ）は第２密閉状態を示す断面図であり、（Ｂ）は第１密閉状態を示す断面図である。
【図６】本発明の実施形態に係るインクジェット記録ヘッド内のインク流路を模式的に表した図である。
【図７】本発明の実施形態に係るインクジェット記録ヘッド内のインク流路を模式的に表した図である。
【図８】本発明の実施形態に係るインク排出回復動作の手順を示すフローチャートである。
【図９】本発明の実施形態に係るインク排出回復動作の手順を示すタイミングチャートである。
【図１０】本発明の実施形態のインクジェット記録装置の変形例を示す図である。
【符号の説明】
【００５９】
１０  インク吐出ノズル
１４  共通インク流路（インク流路）
１５  個別インク流路（インク流路）
５０  インク吸引装置（排出手段）
６１  三方バルブ（インク供給停止手段、気体供給停止手段）
６４  インクタンク（インク供給手段）
６６  ＣＯ2タンク（気体供給手段）
７０  キャップ（排出手段）
９０  吸引ポンプ
９２  ポンプ
９２  吸引ポンプ
１０２  インクジェット記録装置
２００  キャップ空間（密閉空間）
２０２  内側密閉空間
２０３  外側密閉空間
【図１】
2006088469.tif 000003
【図２】
2006088469.tif 000004
【図３】
2006088469.tif 000005
【図４】
2006088469.tif 000006
【図５】
2006088469.tif 000007
【図６】
2006088469.tif 000008
【図７】
2006088469.tif 000009
【図８】
2006088469.tif 000010
【図９】
2006088469.tif 000011
【図１０】
2006088469.tif 000012